(57)【要約】      （修正有）【課題】包装紙等の取り扱いに慣れていない者であっても簡単に包装することができ、資源の無駄を回避し、嵩張らず、実用的なラッピング材を提供する。【解決手段】アルコール飲料を封入した瓶２０を包装するためのラッピング材１であって、瓶２０を挿入するボトルポケット部と、瓶２０以外の物を収容するサブポケット部と、瓶２０にラッピング材１を結び付ける結び紐５とを備えるラッピング材１等。瓶２０のラッピング材１として使用後、カトラリー（スプーン、フォーク類）やナプキンを収容するテーブルウェアや、筆記用具等を収容するケースとして再利用することができる。外側部分３に結び紐５を固着し、内側部分４にサブポケット部及びボトルポケット部を設けることができ、ラッピング材１の全体を、紙、布、樹脂等とすることができる。結び紐５は、水引又はリボンとすることができる。【選択図】図１
0003153920.tif 000002
【実用新案登録請求の範囲】
【請求項１】
アルコール飲料を封入した瓶を包装するためのラッピング材であって、
前記瓶を挿入するボトルポケット部と、
前記瓶以外の物を収容するサブポケット部と、
前記瓶に該ラッピング材を結び付ける結び紐とを備えることを特徴とするラッピング材。
【請求項２】
該ラッピング材を前記瓶に巻き付ける際に、
外側になる面に前記結び紐が固着され、
内側になる面に前記ボトルポケット部及びサブポケット部が形成されていることを特徴とする請求項１に記載のラッピング材。
【請求項３】
前記ラッピング材は、紙、布又は樹脂製であることを特徴とする請求項１又は２に記載のラッピング材。
【請求項４】
前記結び紐は、水引又はリボンであることを特徴とする請求項１、２又は３に記載のラッピング材。
【考案の詳細な説明】
【技術分野】
【０００１】
本考案は、ラッピング材に関し、特に、アルコール飲料が入った瓶を包装するために用いられるラッピング材に関する。
【背景技術】
【０００２】
従来、日本酒、焼酎、ワイン等の瓶を包装するにあたって、厚紙を用いた、角筒状や円筒状の箱が用いられている。銘柄によっては、製造時に瓶を和紙等で包装して外箱に入れた物もあるが、瓶自体が包装されているものは少なく、中には外箱も付属していないものもある。そのような酒類を贈答品とする場合には、別途包装を行う必要があり、さらに、包装に慣れた者が行わなければ、でき上がりの形が崩れるなどの問題があった。
【０００３】
上記包装箱の例として、特許文献１には、前壁板、後壁板、左右の側壁板、底壁板、天上の開閉蓋板とよりなる偏平包装紙箱体において、該偏平包装紙箱体の開閉蓋板中心部の幅方向に吊手を設けた日本酒瓶の包装紙箱が記載されている。このような包装紙箱を用いれば、販売時に包装がされていない酒類でも簡単に贈答用に包装することができる。
【０００４】
一方、酒類を包装する物ではないが、特許文献２には、１枚の切型紙を、切型と折型と曲面により、外観は立体的なパンダの形体を表現し、胴体内部は物入れ容器となる構造、及び、胴体内部は、折込みと穴を通してくくり、吊手紐により吊下げ容器となる構造を備えた切紙容器が開示されている。このような切紙容器を包装に用いれば、内包物を使用した後でも捨てずに使用することができる。
【先行技術文献】
【特許文献】
【０００５】
【特許文献１】実開昭６３−７０９７９号公報
【特許文献２】実開昭５７−８７７９７号公報
【考案の概要】
【考案が解決しようとする課題】
【０００６】
しかし、特許文献１に記載の包装紙箱は、年賀用等と図柄に合った用途に限定される上に、使用後は廃棄されるため、資源の無駄になるという問題がある。
【０００７】
また、特許文献２に記載の切紙容器は、仮にアルコール飲料が入った瓶（以下、適宜「酒瓶」という）を内包できるような大きさとして包装用に用いた場合には、嵩張るため空き容器を飾る場所を用意しなければならず、また、酒類を購入した者にとって気に入らないデザインの場合には捨てる他なく、実用性に欠けるという問題もあった。
【０００８】
そこで、本考案は、上記従来の技術における問題点に鑑みてなされたものであって、包装紙等の取り扱いに不慣れな者も簡単に包装することができ、資源の無駄を回避し、嵩張らず、実用的なラッピング材を提供することを目的とする。
【課題を解決するための手段】
【０００９】
上記目的を達成するため、本考案は、アルコール飲料を封入した瓶を包装するためのラッピング材であって、瓶を挿入するボトルポケット部と、瓶以外の物を収容するサブポケット部と、瓶に該ラッピング材を結び付ける結び紐とを備えることを特徴とする。
【００１０】
そして、本考案によれば、酒瓶のラッピング材として使用後、カトラリー（スプーン、フォーク類）やナプキンを収容するテーブルウェアや、筆記用具等を収容するケースとして再利用することができるため、資源の無駄を回避し、嵩張らず、実用的なラッピング材を提供することができる。
【００１１】
上記ラッピング材において、該ラッピング材を瓶に巻き付ける際に、外側になる面に結び紐を固着し、内側になる面にポケット部を形成することができる。この構成によれば、瓶を包装している時にはポケット部が隠れ、包装の妨げになることがなく、結び紐があるため、包装に慣れた者でなくても容易に瓶をラッピングすることができて取り扱いが容易である。これに加え、ポケット部に物を入れて再利用する場合、基材を結んで開かないようにして携帯することもできて便利で実用的である。
【００１２】
さらに、上記ラッピング材を、紙、布又は樹脂製とすることができ、結び紐を、水引又はリボンとすることができる。これにより、年賀用の日本酒等に用いる場合には、白色の和紙に金色の水引としたり、バレンタイン用のワインに用いる場合には、金色のフィルムにピンク色のリボンとしたり、クリスマス用のシャンパンには、赤色の布に緑色のリボン等、用途に応じた外観にすることが可能になり、購入者の希望に細かく合わせることができる。
【考案の効果】
【００１３】
以上のように、本考案によれば、包装紙等の取り扱いに慣れていない者であっても簡単に包装することができ、資源の無駄を回避し、嵩張らず、実用的なラッピング材を提供することができる。
【図面の簡単な説明】
【００１４】
【図１】本考案にかかるラッピング材で酒瓶を包装した状態を示す斜視図である。
【図２】本考案にかかるラッピング材の外側部分を示す展開図である。
【図３】本考案にかかるラッピング材の内側部分を示す展開図である。
【図４】本考案にかかるラッピング材のボトルポケット部及びサブポケット部に物を入れた状態を示す概略図である。
【考案を実施するための形態】
【００１５】
次に、本考案を実施するための形態について、図面を参照しながら詳細に説明する。
【００１６】
図１は、本考案にかかるラッピング材の一実施の形態を示し、酒瓶２０を包装した状態を示す。このラッピング材１は、全体的に紙製であって、結び紐５が固着され、包装材として使用される外側部分３と、後述するポケット部等が形成され、酒瓶２０に内接する内側部分４とで構成される。尚、以下の説明においては、ラッピング材１によって日本酒の四合瓶を包装する場合を例示する。
【００１７】
ラッピング材１の外側部分は、図２に示すように、平面視長方形状の紙製の基材２の上部中央部に接着剤等で固着された結び紐固着部６と、この結び紐固着部６の両端部から左右両側に延設された結び紐５とを備える。基材２の寸法は、幅３５０ｍｍ×高さ２５０ｍｍ程度であり、結び紐５の長さは、６００ｍｍ程度とする。
【００１８】
ラッピング材１の内側部分４は、図３に示すように、サブポケット部７（７ａ〜７ｄ）とボトルポケット部８とを備える。サブポケット部７は、上部が開口し、底部が閉じた状態に形成される。ボトルポケット部８は、幅２５０ｍｍ×高さ２００ｍｍ程度の紙が２つ折りの状態で貼着され、上部が開口し、底部が閉じた状態に形成される。
【００１９】
次に、上記構成を有するラッピング材１の使用方法について説明する。
【００２０】
酒店等で酒瓶２０（図１参照）を包装する際には、図３の内側部分４のボトルポケット部８の上方開口部から酒瓶２０を挿入し、酒瓶２０の下部をボトルポケット部８に収容して保持する。次に、基材２を酒瓶２０の表面に巻き付け、最後に、結び紐５を結ぶことで、図１に示すような状態に包装することができる。
【００２１】
ラッピング材１によって図１の状態に包装した酒瓶２０を家庭等に持ち帰り、ラッピング材１を取り外した後は、図４に示すように、ラッピング材１を拡げ、例えば、内側部分４のサブポケット部７ａ〜７ｃにスプーン９、フォーク１０、箸１１を、ボトルポケット部８にナプキン１２等を収容してテーブルウェアとして利用することができる。
【００２２】
尚、サブポケット部７に、ボールペン、万年筆、メモ帳等を入れ、筆記用具を収容するケースとしても使用することができる。さらに、ボトルポケット部８やサブポケット部７に物品を収納した後、図２に示した結び紐５によって基材２を結んでラッピング材１全体が開かないようにして携帯したり、結び紐５を基材２から取り外した状態のものを上記目的で使用してもよい。
【００２３】
上記実施の形態では、ラッピング材１によって日本酒の四合瓶を包装する場合を例にとって説明したが、ワイン、焼酎等の瓶をラッピングする場合にもラッピング材１を用いることができる。尚、瓶の種類が異なればその寸法も異なるので、瓶の寸法に合わせてラッピング材１の大きさも適宜調整する。
【００２４】
また、サブポケット部７及びボトルポケット部８を上部が開口し、底部が閉じるように形成したが、このような袋状ではなく、例えば、底部に帯状の支持部を貼着し、面ファスナー等を用いて収容した物が落下しないように形成することもできる。
【００２５】
さらに、上記実施の形態では、ラッピング材１の外側部分３及び内側部分４に付す装飾について言及しなかったが、ラッピング材１で包装する瓶の種類、用途等に応じて絵、柄等を付すことができる。また、結び紐５についても、単なる紐ではなく、水引としたり、リボンとすることもできる。
【００２６】
さらに、上記実施の形態では、ラッピング材１全体を紙製としたが、全体的に布又は樹脂製としたり、部分的に材質を変えることもできる。
【００２７】
また、ラッピング材１を酒瓶２０に巻き付ける際の外側部分３に結び紐５を固着し、内側部分４にボトルポケット部８を形成したが、内側部分４に結び紐５を固着したり、外側部分３にボトルポケット部８を形成することも可能である。さらに、結び紐５で基材２全体を瓶２０に巻き付けるだけでなく、基材２に面ファスナーを適宜貼り付けて瓶２０にラッピング材１を巻き付けたり、基材２を部分的にのり付けしてラッピング材１を瓶２０に装着し易いようにすることもできる。
【符号の説明】
【００２８】
１  ラッピング材
２  基材
３  （ラッピング材の）外側部分
４  （ラッピング材の）内側部分
５  結び紐
６  結び紐固着部
７（７ａ〜７ｄ）  サブポケット部
８  ボトルポケット部
９  スプーン
１０  フォーク
１１  箸
１２  ナプキン
２０  酒瓶
【図１】
0003153920.tif 000003
【図２】
0003153920.tif 000004
【図３】
0003153920.tif 000005
【図４】
0003153920.tif 000006